【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
長手方向軸（Ｌ）を有しかつ前方向（ＤＦ）から後方向（ＤＲ）に延在する回転切削工具（２０）であって、
ホルダ長手方向軸（Ｃ）を有する工具ホルダ（２４）であって、ホルダ前方面（７０）から後方に延在する雌ねじ（７２）を有する雌型結合部材（６８）を含み、前記ホルダ前方面（７０）が、前記ホルダ長手方向軸（Ｃ）に対して横方向に延在する、工具ホルダ（２４）と、
ヘッド長手方向軸（Ａ）を有する交換可能な切削ヘッド（２２）であって、
切削部（２６）を形成する前方部分と、
取付部（２８）を形成する後方部分であって、前記取付部（２８）が、雄ねじ（４２）を有しかつヘッド基面（４０）から後方に突出する雄型結合部材（３８）を含み、前記ヘッド基面（４０）が、前記ヘッド長手方向軸（Ａ）に対して横方向に延在し、かつ前記切削部（２６）と前記取付部（２８）との間に境界を規定する、後方部分と、を含む交換可能な切削ヘッド（２２）と、を備え、
前記雄型結合部材（３８）の前記雄ねじ（４２）が平行ねじであり、
前記雌型結合部材（６８）の前記雌ねじ（７２）が円錐ねじであり、
前記回転切削工具（２０）が、
前記雄型結合部材（３８）が前記雌型結合部材（６８）の外側に位置し、前記雌ねじ（４２）及び前記雄ねじ（７２）が互いにねじ式に係合していない、解除位置と、
前記雄型結合部材（３８）が前記雌型結合部材（６８）内に取外し可能に保持され、前記雌ねじ（４２）及び前記雄ねじ（７２）が互いにねじ式に係合している、ロック位置と、の間で調整可能である、回転切削工具（２０）。
【請求項２】
前記雌ねじ（７２）が、雌ねじ軸（Ｄ）を中心にらせん状に延在し、かつ前方内側フランク面（７６）及び後方内側フランク面（７８）と、それらの間に延在する内側上面（８０）と、を含む、雌ねじ山（７４）を含み、
前記前方内側フランク面（７６）及び前記後方内側フランク面（７８）が、概して、反対の軸方向（ＤＦ、ＤＲ）に面し、内側底面（８４）を含むらせん状雌ねじ溝（８２）の境界を定め、
前記解除位置において、
前記雌ねじ山（７４）及び前記雌ねじ溝（８２）のうちの少なくとも一方が、円錐角（γ）を有するそれぞれの円錐体（Ｋ）の周囲に延在し、
前記円錐角（γ）が、０．０２°≦γ≦１．６°の範囲である、請求項１に記載の回転切削工具（２０）。
【請求項３】
前記円錐角（γ）が厳密に０．８°に等しい、請求項２に記載の回転切削工具（２０）。
【請求項４】
前記雌ねじ溝（８２）のみがそれぞれの円錐体（Ｋ）の周囲に延在する、請求項１〜３のいずれか１項に記載の回転切削工具（２０）。
【請求項５】
前記雌ねじ山（７４）が円柱体（Ｙ）の周囲に延在する、請求項４に記載の回転切削工具（２０）。
【請求項６】
前記雌ねじ軸（Ｄ）を含む軸方向平面における断面において、
前記内側上面（８０）が、前記雌ねじ軸（Ｄ）に対して平行でありかつ互いに同一線上にある複数の雌ねじ山頂部（８８）を形成し、
前記内側底面（８４）が、前記雌ねじ軸（Ｄ）に対して平行でありかつ前記後方向（ＤＲ）において前記雌ねじ軸（Ｄ）からの距離が低減するパターンに従う、複数の雌ねじ谷底（９０）を形成する、請求項２〜５のいずれか１項に記載の回転切削工具（２０）。
【請求項７】
前記前方内側フランク面（７６）及び前記後方内側フランク面（７８）が、前記雌山（７４）が前記後方向（ＤＲ）において前記雌ねじ軸（Ｄ）を中心にらせん状に延在するに従い低減する距離だけ前記雌ねじ軸（Ｄ）からずれている、請求項２〜６のいずれか１項に記載の回転切削工具（２０）。
【請求項８】
前記雄ねじ（４２）が、雄ねじ軸（Ｂ）を中心にらせん状に延在し、かつ前方外側フランク面（４６）及び後方外側フランク面（４８）と、それらの間に延在する外側上面（５０）と、を含む、雄ねじ山（７４）を含み、
前記前方外側フランク面（４６）及び前記後方外側フランク面（４８）が、概して、反対の軸方向（ＤＦ、ＤＲ）に面し、外側底面（５４）を含むらせん状雄ねじ溝（５２）の境界を定め、
前記前方外側フランク面（４６）及び前記前方内側フランク面（７６）が前記前方向（ＤＦ）に面し、
前記後方外側フランク面（４８）及び前記後方内側フランク面（７８）が前記後方向（ＤＲ）に面し、
前記ロック位置では、前記後方内側フランク面（７８）が前記前方外側フランク面（４６）と当接する、請求項２〜７のいずれか１項に記載の回転切削工具（２０）。
【請求項９】
前記ロック位置において、
前記前方内側フランク面（７６）が、前記後方外側フランク面（４８）から間隔を空けて配置され、
前記内側上面（８０）が、前記外側底面（５４）から間隔を空けて配置され、
前記内側底面（８４）が、前記外側上面（５０）から間隔を空けて配置される、請求項８に記載の回転切削工具（２０）。
【請求項１０】
前記雄ねじ軸（Ｂ）を含む軸方向平面における断面図において、
前記外側上面（５０）が、前記雄ねじ軸（Ｂ）に対して平行でありかつ互いに同一線上にある複数の雄ねじ山頂部（５６）を形成し、
前記外側底面（５４）が、前記雄ねじ軸（Ｂ）に対して平行でありかつ互いに同一線上にある複数の雄ねじ谷底（５８）を形成する、請求項８又は９に記載の回転切削工具（２０）。
【請求項１１】
前記ヘッド長手方向軸（Ａ）を含む軸方向平面における断面図において、前記雄ねじ（４２）が、台形である雄ねじ形状（６０）を規定する、請求項１〜１０のいずれか１項に記載の回転切削工具（２０）。
【請求項１２】
前記ホルダ長手方向軸（Ｃ）を含む軸方向平面における断面図において、前記雌ねじ（７２）が、台形である雌ねじ形状（８６）を規定する、請求項１〜１１のいずれか１項に記載の回転切削工具（２０）。
【請求項１３】
前記雄ねじ（４２）が、雄ねじ軸（Ｂ）を中心にらせん状に延在し、かつ前方外側フランク面（４６）及び後方外側フランク面（４８）とそれらの間に延在する外側上面（５０）とを含む、雄ねじ山（４４）を含み、
前記前方外側フランク面（４６）及び前記後方外側フランク面（４８）が、概して、反対の軸方向（ＤＦ、ＤＲ）に面し、外側底面（５４）を含むらせん状雄ねじ溝（５２）の境界を定め、
前記前方外側フランク面（４６）及び前記前方内側フランク面（７６）が前記前方向（ＤＦ）に面し、
前記後方外側フランク面（４８）及び前記後方内側フランク面（７８）が前記後方向（ＤＲ）に面し、
前記ロック位置では、
前記後方内側フランク面（７８）が前記前方外側フランク面（４６）と当接し、
前記前方内側フランク面（７６）が、前記後方外側フランク面（４８）から間隔を空けて配置され、
前記内側上面（８０）が、前記外側底面（５４）から間隔を空けて配置され、
前記内側底面（８４）が、前記外側上面（５０）から間隔を空けて配置され、
前記雄ねじ（４２）と前記雌ねじ（７２）との間の摩擦係合が、前記雄ねじ（４２）の最前方の巻きから前記雄ねじ（４２）の最後方の巻きに向かう方向において増大する、請求項１〜１２のいずれか１項に記載の回転切削工具（２０）。
【請求項１４】
前方向（ＤＦ）から後方向（ＤＲ）に延在するホルダ長手方向軸（Ｃ）を有し、ホルダ前方面（７０）から後方に延在する雌ねじ（７２）を有する雌型結合部材（６８）を含み、前記ホルダ前方面（７０）が、前記ホルダ長手方向軸（Ｃ）に対して横方向に延在する、工具ホルダ（２４）であって、
前記雌型結合部材（６８）の前記雌ねじ（７２）が円錐ねじであり、
前記雌ねじ（７２）が、雌ねじ軸（Ｄ）を中心にらせん状に延在し、かつ前方内側フランク面（７６）及び後方内側フランク面（７８）と、それらの間に延在する内側上面（８０）と、を含む、雌ねじ山（７４）を含み、
前記前方内側フランク面（７６）及び前記後方内側フランク面（７８）が、概して反対の軸方向（ＤＦ、ＤＲ）に面し、内側底面（８４）を含むらせん状雌ねじ溝（８２）の境界を定め、
前記雌ねじ山（７４）及び前記雌ねじ溝（８２）のうちの少なくとも一方が、円錐角（γ）を有するそれぞれの円錐体（Ｋ）の周囲に延在し、
前記円錐角（γ）が０．０２°≦γ≦１．６°の範囲である、工具ホルダ（２４）。
【請求項１５】
前記円錐角（γ）が厳密に０．８°に等しい、請求項１４に記載の工具ホルダ（２４）。
【請求項１６】
前記雌ねじ溝（８２）のみがそれぞれの円錐体（Ｋ）の周囲に延在する、請求項１４又は１５に記載の工具ホルダ（２４）。
【請求項１７】
前記雌ねじ山（７２）が円柱体（Ｙ）の周囲に延在する、請求項１４〜１６のいずれか１項に記載の工具ホルダ（２４）。
【請求項１８】
前記雌ねじ軸（Ｄ）を含む軸方向平面における断面において、
前記内側上面（８０）が、前記雌ねじ軸（Ｄ）に対して平行でありかつ互いに同一線上にある複数の雌ねじ山頂部（８８）を形成し、
前記内側底面（８４）が、前記雌ねじ軸（Ｄ）に対して平行でありかつ前記後方向（ＤＲ）において前記雌ねじ軸（Ｄ）からの距離が低減するパターンに従う、複数の雌ねじ谷底（９０）を形成する、請求項１４〜１７のいずれか１項に記載の工具ホルダ（２４）。
【請求項１９】
前記ホルダ長手方向軸（Ｃ）を含む軸方向平面における断面図において、前記雌ねじ（７２）が、台形である雌ねじ形状（８６）を規定する、請求項１４〜１８のいずれか１項に記載の工具ホルダ（２４）。
【請求項２０】
前記前方内側フランク面（７６）及び前記後方内側フランク面（７８）が、前記雌山（７４）が前記後方向（ＤＲ）において前記雌ねじ軸（Ｄ）を中心にらせん状に延在するに従い低減する距離だけ前記雌ねじ軸（Ｄ）からずれている、請求項１４〜１９のいずれか１項に記載の工具ホルダ（２４）。